(57)【特許請求の範囲】
【請求項１】
略矩形板状の太陽電池パネルと、この太陽電池パネルの３辺を保持する保持枠とを備える太陽電池瓦であって、該太陽電池瓦はその上面に上側に隣接する太陽電池瓦又は屋根瓦と重なるための重なり領域を有し、上記太陽電池パネルの保持されない軒側の１辺側より、太陽電池パネルをスライド自在に着脱できることを特徴とする太陽電池瓦。
【請求項２】
前記保持枠において前記太陽電池パネルを保持する部分に、雨水を排出する溝を備えることを特徴とする請求項１記載の太陽電池瓦。
【発明の詳細な説明】
【０００１】
【発明の属する技術分野】
本発明は、太陽電池瓦に関する。
【０００２】
【従来の技術】
従来の太陽電池瓦の構造が、特開平１１−２００５６１号に開示されている。この太陽電池瓦は、略矩形板状の太陽電池パネルと、この太陽電池パネルの外周４辺を保持する保持枠とを備えている。
【０００３】
【発明が解決しようとする課題】
上記従来の太陽電池瓦においては、太陽電池パネルが保持枠に保持、固定されている。従って、このような太陽電池瓦を屋根に設置した後、太陽電池パネルの特性低下とか、破損とかの不良が発生した場合、太陽電池瓦全体を交換する必要があった。
【０００４】
本発明は、上述のような問題点を解決するために成されたものであり、交換が容易な構造の太陽電池瓦を提供することを目的とする。
【０００５】
【課題を解決するための手段】
本発明は、略矩形板状の太陽電池パネルと、この太陽電池パネルの３辺を保持する保持枠とを備える太陽電池瓦であって、該太陽電池瓦はその上面に上側に隣接する太陽電池瓦又は屋根瓦と重なるための重なり領域を有し、上記太陽電池パネルの保持されない軒側の１辺側より、太陽電池パネルをスライド自在に着脱できることを特徴とする。
また、前記保持枠において前記太陽電池パネルを保持する部分に、雨水を排出する溝を備えることを特徴とする。
【０００６】
【発明の実施の形態】
本発明の一実施例を、図１〜３を用いて、詳細に説明する。図３に示すように、屋根１には屋根瓦２、２、２・・・が設置され、屋根１の一部に太陽電池瓦３、３、３・・・が設置されている。そして、太陽電池瓦３の縦寸法は、屋根瓦の縦寸法と略同一であり、また、太陽電池瓦３の横寸法は、屋根瓦２の横寸法を略複数倍（本実施例では、略４倍）した寸法である。
【０００７】
図１、２に示すように、本実施例の太陽電池瓦３は、略矩形板状の太陽電池パネル１１と、この太陽電池パネル１１を保持する保持枠２０からなる。
【０００８】
太陽電池パネル１１は、受光面側のガラス等の透光性絶縁基板と、裏面側の金属箔を絶縁性フィルムで挟着した耐候性フィルムとを用いて、結晶系又はアモルファスシリコン系の複数の太陽電池素子をその間に挟み、内部の隙間にPVB又はEVA等の接着性の透明樹脂を充てんした構造である。
【０００９】
更に、太陽電池パネル１１における軒側には、軒側止め板１２が固着されている。
【００１０】
保持枠２０は、縦枠２１Ａ、２１Ｂ、棟側横枠２１Cからなる。これらの縦枠２１Ａ、２１Ｂ、棟側横枠２１Cは、アルミニウム等の金属材料を中空に成形加工したものである。
【００１１】
縦枠２１Ａは、太陽電池パネル１１をスライドして装着するために、開口部２２Ａを有する。更には、太陽電池パネル１１と保持枠２０の間より、雨水が侵入したとき、この雨水を排出するための溝２３Ａと、この溝２３Ａより雨水を、重ねて軒側に配置された太陽電池瓦３’（図２において、外形のみ点線で示す）上に排出するためのドレイン開口２３ＡＤを有している。また、縦枠２１Ａは、太陽電池瓦が設置された状態で、横に隣接する太陽電池瓦又は屋根瓦の下に重なるアンダーラップ片２４Ａを左下に有している。
【００１２】
同様に、縦枠２１Ｂは、太陽電池パネル１１をスライドして装着するために、開口部２２Ｂを有する。更には、太陽電池パネル１１と保持枠２０の間より、雨水が侵入したとき、この雨水を排出するための溝２３Ｂと、この溝２３Ａより雨水を、重ねて軒側に配置された太陽電池瓦３’（図２において、外形のみ点線で示す）上に排出するためのドレイン開口２３ＢＤを有している。また、縦枠２１Ｂは、太陽電池瓦が設置された状態で、横に隣接する太陽電池瓦又は屋根瓦の上に重なるオーバーラップ片２４Ｂを有している。
【００１３】
棟側横枠２１Ｃは、特に図２（ｂ）で理解できるように、太陽電池パネル１１をスライドして装着するために、開口部２２Ｃを有する。更には、太陽電池パネル１１と保持枠２０の間より、雨水が侵入したとき、この雨水を排出するための溝２３Ｃを備え、この溝２３Ｃの両端で縦枠２１Ａの溝２３Ａ及び縦枠２１Ｂの溝２３Ｂと連通している。そして、棟側横枠２１Ｃは、太陽電池瓦が設置された状態で、上側に隣接する太陽電池瓦又は屋根瓦と重なって接触する重なり領域２４Ｃを有している。
【００１４】
従って、図２に示すように、保持枠２０に太陽電池パネル１１をスライド装着して軒側止め板１２の両端において、ネジ１３止めすることにより、設置できる。よって、太陽電池パネル１１の３辺は保持枠２０により保持されることになり、太陽電池パネル１１の保持枠２０に保持されない１辺側、即ち、軒側止め板１２側より、太陽電池パネル１１をスライド自在に着脱できることができる。
【００１５】
本実施例は、以上の構造であり、特に図１から理解できるように、屋根に本実施例の太陽電池瓦３を設置する場合、まず、保持枠２０を先に設置し、後から一体となった太陽電池パネル１１及び軒側止め板１２を、スライド装着する。そして、軒側止め板１２の両端でネジ１３止めすることにより、太陽電池パネル１１を保持枠２０に固定、設置することができる。一方、設置後、太陽電池パネルの特性低下とか、破損とかの不良が発生した場合、太陽電池パネル１１をスライドさせ取り外すことができる。
【００１６】
このように、本実施例の太陽電池瓦は、太陽電池パネルをスライド自在に着脱できることより、保持枠を先に設置し、その後、ガラス等の破損しやすい太陽電池パネルを設置でき、保持枠の設置時、ガラス等の破損しやすい太陽電池パネルがないので、保持枠の設置作業が容易である。
【００１７】
また、設置後、太陽電池パネルの特性低下とか、破損とかの不良が発生した場合、太陽電池パネルをスライドさせ取り外すことができるので、修理、交換が容易にできる。
【００１８】
また、設置後、太陽電池パネル１１と保持枠２０の間より、雨水が侵入した場合であっても、連通する棟側横枠２１Ｃの溝２３Ｃ、縦枠２１Ａの溝２３Ａ、縦枠２１Ｂの溝２３Ｂを雨水が通過し、ドレイン開口２３ＡＤ、２３ＢＤより、排出することができるので、太陽電池瓦内に雨水が留まることはない。
【００１９】
次に、図４に、本発明の他の実施例を示し、上記実施例と異なる部分のみ説明を加える。縦枠２１Bの先端において、溝２３Bからの雨水を効率的に排出するために、ドレイン開口２３BDに加えて、外側に開口３０が設けられている。図示されていないが、同様に、縦枠２１Aのおいても、先端の外側に、開口を設けることもできる。
【００２０】
【発明の効果】
本発明においては、太陽電池パネルをスライド自在に着脱できることより、保持枠を先に設置し、その後、ガラス等の破損しやすい太陽電池パネルを設置でき、保持枠の設置時、ガラス等の破損しやすい太陽電池パネルがないので、保持枠の設置作業が容易である。また、設置後、太陽電池パネルの特性低下とか、破損とかの不良が発生した場合、太陽電池パネルをスライドさせ取り外すことができるので、修理、交換が容易にできる。そして、太陽電池パネルを取り外したり、わずかにスライドした状態で、電気配線ができることより、電気配線作業を容易に行うことができる。
【００２１】
更には、保持枠において太陽電池パネルを保持する部分に、雨水を排出する溝を備えることより、太陽電池瓦内に雨水が留まることはない。
【図面の簡単な説明】
【図１】本発明の一実施例において、太陽電池パネルを取り外した状態を示す斜視図である。
【図２】本発明の一実施例の設置状態を示す図であり、（a）は斜視図、（ｂ）は（ａ）におけるＡ−Ａ拡大断面図である。
【図３】本発明の一実施例を設置した屋根を示す斜視図である。
【図４】本発明の他の実施例の要部を示す斜視図である。
【符号の説明】
１  屋根
２  屋根瓦
３  太陽電池瓦
１１  太陽電池パネル
２０  保持枠
２３Ａ、２３Ｂ、２３Ｃ  溝
２３ＡＤ、２３ＢＤ  ドレイン開口
【図１】
0003696035.tif 000002
【図２】
0003696035.tif 000003
【図３】
0003696035.tif 000004
【図４】
0003696035.tif 000005